(57)【要約】【課題】親水性塗装を施さなくても排気用羽根車に付着した油等に洗浄水を流して塗装面から長期間剥がすことができることを目的とする。【解決手段】ケーシング６内に乱流発生機構１４を設け、ケーシング６内に洗浄水を供給し、羽根車５の一部が浸漬されるように洗浄水をためた後、羽根車５が洗浄水に浸漬されたまま回転し、油等の汚れを羽根車５から剥離させ、同時に押し流される洗浄水が、ケーシング６内に設けた乱流発生機構１４に当り、洗浄水を攪拌し水圧の変動を起こすので、汚れを羽根車５からさらに剥離させる。加えて剥離した汚れは乱流発生機構１４に衝突し、羽根車５への再付着を防止することも重なり、羽根車５の洗浄力を著しく高めることができる。【選択図】図４
2017044466.tif 000002
【特許請求の範囲】
【請求項１】
空気を吸込む吸込口と羽根車を内包したケーシングとを連通した通風路を設けたフードと、前記ケーシングは羽根車を浸漬させる洗浄槽を兼ねたものであり、前記ケーシングに洗浄水を供給するノズルと前記ノズルに洗浄水を送水する洗浄水用ポンプと前記洗浄水を貯水する貯水装置とこれらを連結する管とを含み形成した給水手段と、前記ケーシング内に散乱した洗浄水を回収する回収手段と、前記ケーシング内に突出して洗浄水を乱流発生する凸形状の乱流発生機構を設けたレンジフード。
【請求項２】
乱流発生機構は、ケーシング内に角柱状に設けた請求項１に記載のレンジフード。
【請求項３】
前記羽根車は複数枚のブレードと環状の側板と円形の主板で構成されており、前記ケーシングはスクロール板と、前記スクロール板を挟むように配置したケーシング前面板とケーシング背面板とを有しており、
前記乱流発生機構は、角柱の高さ方向を前記ブレードの高さ方向に合わせてスクロール板上に配置し、前記角柱の高さ方向の一端を前記羽根車の主板と前記ケーシング背面板との間に配置することを特徴とする請求項２に記載のレンジフード。
【請求項４】
前記回収手段は前記スクロール板上で前記ケーシング背面板側に寄せて配置し、
前記乱流発生機構は、前記スクロール板上でかつ前記回収手段と前記舌部の間に設けた第一の乱流発生機構と、前記スクロール板上でかつ前記回収手段と前記吹出口の間に設けた第二の乱流発生機構とを有し、
前記第一の乱流発生機構の前記角柱の高さ方向は前記回収手段に向いて配置されていることを特徴とする請求項２または３に記載のレンジフード。
【請求項５】
前記回収手段は前記スクロール板上で前記ケーシング背面板側に寄せて配置し、前記第二の乱流発生機構の前記角柱の底面に含まれる一辺の延長方向は、前記回収手段に向いて配置されていることを特徴とする請求項２または３に記載のレンジフード。
【請求項６】
前記乱流発生機構の水流が当たる面を円弧状で凹んだ湾曲形状とした請求項１〜５に記載のレンジフード。
【請求項７】
前記乱流発生機構の水流が当たる面が板状であり板状の長辺の一辺は送風ケーシング側に駆動可能部で取り付けられ、前記板状長辺方向の他辺には水からの浮力が得られる浮きが備わっている請求項１または６に記載のレンジフード。
【請求項８】
乱流発生機構は、回転駆動手段によって自由回転できる回転翼である請求項１に記載のレンジフード。
【請求項９】
空気を吸込む吸込口と羽根車を内包したケーシングとを連通した通風路を設けたフードと、前記ケーシングは羽根車を浸漬させる洗浄槽を兼ねたものであり、前記ケーシングに洗浄水を供給するノズルと前記ノズルに洗浄水を送水する洗浄水用ポンプと前記洗浄水を貯水する貯水装置とこれらを連結する管とを含み形成した給水手段と、前記ケーシング内に散乱した洗浄水を回収する回収手段と、前記ケーシング内に突出して洗浄水を乱流発生する攪拌翼の乱流発生機構を設け、前記攪拌翼が、自由回転できるように磁石を内包しているレンジフード。
【発明の詳細な説明】
【技術分野】
【０００１】
本発明は、レンジフードの自動洗浄による排気用羽根車や油捕集機構部の汚れ除去に関するものである。
【背景技術】
【０００２】
従来、この種のレンジフードは、調理で発生する油煙や埃等の汚れを捕集する目的として、油捕集機構部が取り付けられていた。この油捕集機構部は使用とともに汚れが付着するため、性能が低下したり、捕集部から油垂れが生じるので、定期的に掃除を行う必要があった。また、それは排気用に設けられた羽根車にも同様である。
【０００３】
また、これら掃除の手間を軽減する目的で油捕集機構部を自動的に浄化する手段として、油捕集機構部に駆動装置を取り付けて回転させることにより、遠心力で汚れを除去する方法があった（例えば、特許文献１参照）。
【０００４】
以下、そのレンジフードについて図１３を参照しながら説明する。
【０００５】
図１３に示すように、汚れた空気１０１は、吸込口１０２を通過して排気羽根車１０３の前方に配置されたフィルター１０４を通過し、このフィルター１０４を回転させる駆動装置１０５と、フィルター１０４の汚れを検知するセンサー１０６とを備えることで、フィルター１０４の汚れを検知してフィルター１０４を駆動装置１０５で回転させ、汚れを遠心力で除去させている。
【先行技術文献】
【特許文献】
【０００６】
【特許文献１】特開平３−１６４６３９号公報
【発明の概要】
【発明が解決しようとする課題】
【０００７】
このような従来のレンジフードにおいては、親水性塗装を施した油捕集機構部や排気用羽根車に付着した油等は洗浄水を流して塗装面から剥がすが、なかには剥がれずに残存した油等により塗装膜がふさがれ徐々に塗装面から油が剥がれ難くなる、という課題を有していた。
【０００８】
そこで本発明は、上記従来の課題を解決するものであり、親水性塗装を施さなくても排気用羽根車に付着した油等に洗浄水を流して塗装面から長期間剥がすことができるレンジフードを提供することを目的とする。
【課題を解決するための手段】
【０００９】
そして、この目的を達成するために、本発明は、空気を吸込む吸込口と羽根車を内包したケーシングとを連通した通風路を設けたフードと、前記ケーシングは羽根車を浸漬させる洗浄槽を兼ねたものであり、前記ケーシングに洗浄水を供給するノズルと前記ノズルに洗浄水を送水する洗浄水用ポンプと前記洗浄水を貯水する貯水装置とこれらを連結する管とを含み形成した給水手段と、前記ケーシング内に散乱した洗浄水を回収する回収手段と、前記ケーシング内に突出して洗浄水を乱流発生する凸形状の乱流発生機構を設けたものであり、羽根車を浸漬し、羽根車を回転させて洗浄する際に、洗浄水がケーシング内の前記乱流発生機構によって攪拌され、その水圧が変化することによって、洗浄水が羽根車を洗浄する効果を増幅せしめ、また剥離した汚れは乱流発生機構により誘導され前記羽根車に汚れが戻る再付着を防止し、これにより初期の目的を達成するものである。
【発明の効果】
【００１０】
本発明によれば、空気を吸込む吸込口と羽根車を内包したケーシングとを連通した通風路を設けたフードと、前記ケーシングは羽根車を浸漬させる洗浄槽を兼ねたものであり、前記ケーシングに洗浄水を供給するノズルと前記ノズルに洗浄水を送水する洗浄水用ポンプと前記洗浄水を貯水する貯水装置とこれらを連結する管とを含み形成した給水手段と、前記ケーシング内に散乱した洗浄水を回収する回収手段と、前記ケーシング内に突出して洗浄水を乱流発生する凸形状の乱流発生機構を設けたものであり、羽根車を浸漬し、羽根車を回転させて洗浄する際に、洗浄水がケーシング内の乱流発生機構によって攪拌され、その水圧が変化することによって、洗浄水が羽根車を洗浄する効果を増幅せしめ、油等を排気用羽根車から剥離させ、剥離した汚れは乱流発生機構により誘導され羽根車に汚れが戻る再付着を防止することとなるので、洗浄水を流して塗装面から長期間剥がすことができる、という効果を得ることができる。
【図面の簡単な説明】
【００１１】
【図１】本発明の実施の形態１のレンジフードを示す側面構成図
【図２】同レンジフードの羽根車の構成斜方図
【図３】同レンジフードのケーシング構成図
【図４】本発明の実施の形態１の排気用羽根車と攪拌用凸部の概略図
【図５】本発明の実施の形態１の洗浄時の洗浄水の動きを示す概念図
【図６】本発明の実施の形態２のレンジフードを示す断面構成図（図４のスクロール背面板に垂直でかつスクロール板と攪拌用凸部を通るＡ-Ａ‘断面から羽根車側を見た図）
【図７】本発明の実施の形態２の第一の乱流発生機構の概略図
【図８】本発明の実施の形態２の第二の乱流発生機構の概略図
【図９】本発明の実施の形態２の水流が当たる面（スクロール板上で気流の上流側の面）が湾曲した形状の乱流発生機構の概略図
【図１０】本発明の実施の形態２の浮きを有する乱流発生機構の概略図
【図１１】本発明の実施の形態３の回転攪拌による洗浄部分の概略図
【図１２】本発明の実施の形態４の回転攪拌による洗浄部分の概略図
【図１３】従来のレンジフードを示す側断面図
【発明を実施するための形態】
【００１２】
本発明の請求項１記載に係わるレンジフードは、空気を吸込む吸込口と羽根車を内包したケーシングとを連通した通風路を設けたフードと、前記ケーシングは羽根車を浸漬させる洗浄槽を兼ねたものであり、前記ケーシングに洗浄水を供給するノズルと前記ノズルに洗浄水を送水する洗浄水用ポンプと前記洗浄水を貯水する貯水装置とこれらを連結する管とを含み形成した給水手段と、前記ケーシング内に散乱した洗浄水を回収する回収手段と、前記ケーシング内に突出して洗浄水を乱流発生する凸形状の乱流発生機構を設けたものである。
【００１３】
これにより、前記ノズルから送風ケーシング内の一部でかつ駆動手段より下方に洗浄水が供給されて、かつ前記羽根車の一部が浸漬されるように洗浄水が溜まり、羽根車に付着した油に洗浄水が浸透し油等を羽根車から剥離させる。と同時に羽根車が洗浄水に浸漬されたまま回転し、このとき押し流される洗浄水が、ケーシング内の乱流発生機構に当り、洗浄水が攪拌されて水圧の変動が起こることで、油等を羽根車からさらに剥離させる。これにより、羽根車に付着した油等を、洗浄水を流して塗装面から長期間剥がすことができる、という効果を奏する。
【００１４】
本発明の請求項２記載に係わるレンジフードは、乱流発生機構は、ケーシング内に角柱状に設けたものである。
【００１５】
これにより、羽根車が回転することでつくられる水流が送風ケーシングの内側ずれを生じる際に、乱流発生機構の角柱状に水流が当たり、洗浄水に乱流が生じさせることとなるので、羽根車の洗浄効果を高めるものである。
【００１６】
本発明の請求項３に係わるレンジフードは、前記羽根車は複数枚のブレードと環状の側板と円形の主板で構成されており、前記送風ケーシングはスクロール板と、前記スクロール板を挟むように配置したケーシング前面板とケーシング背面板とを有しており、前記乱流発生機構は、角柱の高さ方向を前記ブレードの高さ方向に合わせて羽根車から見た際に最も長い辺を長辺方向、最も短い辺を短辺方向としスクロール板上に配置し、前記角柱の高さ方向長辺方向の一端を前記羽根車の主板と前記ケーシング背面板との間に配置するものである。
【００１７】
これにより洗浄時に前記羽根車から剥離した汚れは、前記乱流発生機構に衝突し、そのまま前記乱流発生機構に沿って流れることとなるので、前記長辺方向の一端が位置する前記主板と前記ケーシング背面板との間で浮上する傾向が強くなる。そのため剥離した汚れは、前記主板と前記ケーシング背面板の間で浮遊するので、再び前記ブレードや前記油捕集機構へ再付着することが抑制され、より洗浄効果が高められる。
【００１８】
本発明の請求項４に係わるレンジフードは、前記回収手段は前記スクロール板上でかつ前記ケーシング背面板近傍側に寄せて配置し、前記乱流発生機構は、前記スクロール板上でかつ前記回収手段と前記舌部の間に設けたものを第一の乱流発生機構とし、前記スクロール板上でかつ前記回収手段と前記吹出口の間に設けたものを第二の乱流発生機構とを有し、前記第一の乱流発生機構の前記角柱の高さ方向の一端は前記回収手段に向いて配置されているものである。
【００１９】
これにより、洗浄時に前記乱流発生機構に衝突した汚れは、前記羽根車が回転することで生じる水の流れに沿って流れ、前記乱流発生機構を流れている間に凝集、または沈殿をすることとなり、前記主板と前記ケーシング背面板の間の位置まで、よりスムーズに誘導される。その後、汚れが洗浄水の水面に浮上しても前記ブレードに再び付着をする再付着は防止することができる。また、排水時には前記小孔が前記ケーシング背面板の近傍にあるため、凝集や沈殿した汚れは速やかに排出され、浮上した汚れも前記ブレードや前記油捕集機構部に接触しにくくして排出することができるので再付着防止効果を高めることができる。
【００２０】
本発明の請求項５に係わるレンジフードは、前記回収手段は前記スクロール板上で前記ケーシング背面板側に寄せて配置し、前記第二の乱流発生機構の前記角柱の底面に含まれる一辺の延長方向は、前記回収手段に向いて配置されているものである。
【００２１】
これにより、洗浄時に前記乱流発生機構に衝突した汚れは、前記羽根車が回転することで生じる水の流れに沿って流れ、前記乱流発生機構を流れている間に凝集、または沈殿をすることとなり、前記主板と前記ケーシング背面板の間の位置まで、よりスムーズに誘導される。その後、汚れが洗浄水の水面に浮上しても前記ブレードに再び付着をする再付着は防止することができる。また、排水時には前記小孔が前記ケーシング背面板の近傍にあるため、凝集や沈殿した汚れは速やかに排出され、浮上した汚れも前記ブレードや前記油捕集機構部に接触しにくくして排出することができるので再付着防止効果を高めることができる。
【００２２】
本発明の請求項６に係わるレンジフードは、前記乱流発生機構の水流が当たる面を円弧状で凹んだ湾曲形状としたものである。
【００２３】
これにより、洗浄時に前記乱流発生機構に衝突した汚れは前記乱流発生機構に沿って流れる際に前記乱流発生機構に引っかかりやすくなり、凝集や沈殿を誘発させやすくする。
【００２４】
本発明の請求項７に係わるレンジフードは、前記乱流発生機構の水流が当たる面が板状であり板状の長辺の一辺は送風ケーシング側に駆動可能部で取り付けられ、前記板状長辺方向の他辺には水からの浮力が得られる浮きが備わっているものである。
【００２５】
これにより、洗浄時に水を貯める際に浮力により前記乱流発生機構が持ち上がり凸形状を形成する。したがって、洗浄時のみ前記乱流発生機構を設けることができ洗浄力を高めることができ、ケーシング内に水が無い送風時には送風性能には影響を与えにくくすることができる。
【００２６】
本発明の請求項８に係わるレンジフードは、前記乱流発生機構は、回転翼状で、自由に回転などの動きができる攪拌装置であっても良い。
【００２７】
これにより、洗浄水を攪拌することで乱流を発生し、水圧の変化で、羽根車の洗浄効果を高めるものである。
【００２８】
また本発明の請求項９に係わるレンジフードは、空気を吸込む吸込口と羽根車を内包したケーシングとを連通した通風路を設けたフードと、前記ケーシングは羽根車を浸漬させる洗浄槽を兼ねたものであり、前記ケーシングに洗浄水を供給するノズルと前記ノズルに洗浄水を送水する洗浄水用ポンプと前記洗浄水を貯水する貯水装置とこれらを連結する管とを含み形成した給水手段と、前記ケーシング内に散乱した洗浄水を回収する回収手段と、前記ケーシング内に突出して洗浄水を乱流発生する攪拌翼の乱流発生機構を設け、前記攪拌翼が、自由回転できるように磁石を内包しているものである。
【００２９】
これにより、攪拌翼が自由回転して洗浄水を攪拌することで乱流を発生し、水圧の変化で、羽根車の洗浄効果を高めるものである。
【００３０】
以下、本発明の実施の形態について図面を参照しながら説明する。
【００３１】
（実施の形態１）
図１に示すように、ガスやＩＨ等の調理器（図示せず）の上方に、調理にて発生した油煙や周囲に浮遊する埃や塵等の微小物を捕集する例えば逆椀形状の吸込口１を設けた方形状のフード２を台所（図示せず）の壁面（図示せず）に設置する。
【００３２】
そして、フード２には、天面に屋外（図示せず）と連通した例えば筒状のダクト３を介して連通する円形や方形状の吐出口４を設ける。
【００３３】
そして、フード２の内部には排気用羽根車である羽根車５を包囲したケーシング６を配設する。
【００３４】
そして、この羽根車５を介し吸込口１と吐出口４を結ぶ通風路７をフード２の内部に形成している。
【００３５】
また、フード２の内部の吸込口１の近傍には平坦な整流板８を設ける。
【００３６】
さらに、図２において羽根車５を詳細に説明する。
【００３７】
羽根車５には、シロッコファン、ターボファン、プレートファンのようにいくつかの種類があり、本発明はこのいずれにも適用可能であるが、ここではシロッコファン（遠心ファン）を用いる。すなわち、羽根車５は、かご型円筒形状を有している。また羽根車５は少なくとも、複数のブレード１０と環状の側板１１と円形の主板１２で構成されている。ブレード１０は、吸込口１側に位置する側板１１と駆動手段９側に位置する主板１２によって両端部を挟み込むようにして配置している。ブレード１０は、複数を主板１２上の外周部で円環状に配置している。すなわちブレード１０は同一円周上に配置されている。そしてブレード１０は、羽根車５の外周から内周へ向けた直線状の流路が所定の角度範囲でブレード１０に干渉しないように、隙間を開けて配置している。
【００３８】
また、羽根車５の内周に油や埃を捕集するために、例えばリング状の油捕集機構部１３を設けることで、羽根車５内で、油捕集機構部１３に汚れ成分をぶつけて捕集し、吐出口４以降の排気中に油や埃と言った汚れが排気されにくくすることもできる。
【００３９】
図３は前記羽根車５を包囲したケーシング６を詳細に説明するものである。
【００４０】
ケーシング６には、送風機流入口１５と送風機吹出口１６が備えられている。ケーシング６は、スクロール板１７と、このスクロール板１７を挟むように配置したケーシング前面板１８とケーシング背面板１９と、舌部２０と、スクロール板１７の延長上に備えた延設板２１と、舌部２０の延長上に備えた延長板２２とを備えている。なお、ケーシング６において、延設板２１と、延長板２２は必須ではない。
【００４１】
ケーシング前面板１８とケーシング背面板１９は、羽根車５の側板１１と主板１２に対向して間隔を開けて配置した平面板である。
【００４２】
スクロール板１７は、羽根車５の外周で、舌部２０を基点として羽根車５の回転方向に向って風路を拡大する曲面板である。延設板２１はスクロール板１７をさらに送風機吹出口１６へ延設した平面板である。また、延長板２２は、舌部２０の反回転方向側から送風機吹出口１６へ延設した平面板である。
【００４３】
また、スクロール板１７は、ケーシング６の側面部２３の主要部に渡り配置されており、舌部２０から羽根車５の回転方向に約３００度の範囲を占めている。
【００４４】
送風機吹出口１６は、ケーシング６の側面部２３において、ケーシング前面板１８とケーシング背面板１９と延設板２１、延長板２２のそれぞれ端部に囲まれて形成している。なお、延設板２１、延長板２２を備えない場合には、ケーシング前面板１８とケーシング背面板１９、スクロール板１７、舌部２０のそれぞれ端部に囲まれて形成すればよい。
【００４５】
ケーシング６は、ケーシング前面板１８の略中央部にオリフィス２４を備えている。送風機流入口１５は、オリフィス２４の内周部にある。また、図１においてケーシング背面板１９側に駆動手段９を配置している。そして、駆動手段９からシャフト２５を通じ羽根車５を回転させている。
【００４６】
ケーシング６は、フード２内部で、ケーシング前面板１８とケーシング背面板１９を立てるように配置している。すなわち、羽根車５は、回転軸２５ａを横にして配置し、送風機吹出口１６を上方へ向けて配置している。
【００４７】
そして、送風機吹出口１６は、フード２の吐出口４へ接続されている。送風機流入口１５は、フード２内部に開口し、吸込口１に連通している。
【００４８】
上記構成によって、調理時に発生した油や室内の埃などの汚れは、羽根車５を例えばＤＣモーター等の駆動手段９により回転させることで整流板８の周囲の吸込口１からフード２の内部に吸い込まれ、羽根車５を通過し、吐出口４よりダクト３を通じ屋外に排出される。このとき、調理時に発生した油や室内の埃などの汚れは、吸込口１から羽根車５を通過し、吐出口４より排出される過程で羽根車５および油捕集機構部１３に油や埃が衝突するため、蓄積されていく。
【００４９】
すなわち、羽根車５において吸込口１から吸込まれた油や埃等が羽根車５のブレード部分や油捕集機構部１３に付着し蓄積することにより羽根車５を通過する風の流れが変化してしまい排出風量の低下を招くこととなる。
【００５０】
そこで、本発明の実施の形態１のレンジフードには、羽根車５や油捕集機構部１３を洗浄するための機構が備えられている。
【００５１】
以下、洗浄の機構について説明する。
【００５２】
洗浄の機構は、洗浄槽と給水手段と洗浄水の乱流発生機構１４を含むものである。
【００５３】
ケーシング６の下端部には例えば直径２０ｍｍ程度で１つの小孔２６を設ける。小孔２６は、小孔２６の近傍に設けられた弁（図示せず）により開閉できる構造とする。
【００５４】
弁（図示せず）により小孔２６を閉止したときには、ケーシング６内に洗浄水を貯めることができるものである。また、弁（図示せず）により小孔２６を開放することでケーシング６内に散乱した油や埃等を含んだ汚水を小孔２６から排水して排水タンクなどの回収手段２７へ回収することができる。
【００５５】
つまり、前記洗浄槽は、弁（図示せず）により小孔２６を閉止したときのケーシング６の底部である。
【００５６】
さて、前記洗浄水には、例えば水道水の水などを用いることができる。貯水装置２８は水道水を蓄えるものである。
【００５７】
前記給水手段は、貯水装置２８に貯めた水をケーシング６内へ給水するものである。つまり前記給水手段は、貯水装置２８と洗浄水用ポンプ２９と洗浄水用ノズル３０との間を管で連結し形成している。なお、洗浄水用ノズル３０は、ケーシング６の内部であって、羽根車５の下端より上方に設ける。
【００５８】
これにより、洗浄水用ポンプ２９により貯水装置２８の内部の洗浄水を洗浄水用ノズル３０へ送水し洗浄水用ノズル３０よりケーシング６の内部へ洗浄水を給水することができる。
【００５９】
また、前記乱流発生機構１４は、ケーシング６内に設けた少なくとも１つ以上の攪拌用部であり、凸形状、凹形状また多角柱、多角錐、円柱、円錐、楕円柱、楕円錐など様々な形状を有しても良いが、本発明ではその効果がより高く、加工のしやすさや、排水時の汚れ残りが少ないことから、ここでは多角柱を例として用い、三角柱を寝かした凸形状を攪拌用凸部４３として説明を行う。
【００６０】
この乱流発生機構１４は、羽根車５が回転することでつくられる水流がケーシング６内を流れる際に攪拌用凸部４３に水流が当たると、洗浄水の流れが乱れて乱流が生じることで洗浄水を攪拌するものである。これにより、洗浄水がケーシング６内において、羽根車５が回転すると、ケーシング６内に貯水した洗浄水がより激しく攪拌される。
【００６１】
なお、乱流発生機構１４は、洗浄水が貯水された場合に、攪拌用凸部４３が洗浄水に浸るように設置するのが好ましい。
【００６２】
また、乱流発生機構１４を複数設ける場合には、レンジフード内の前記羽根車５のブレード方向に略平行になるように、スクロール板１７上で所定の間隔で設けて配置するのが好ましい。
【００６３】
また、乱流発生機構１４は、洗浄水を小孔２６から排水するための排水経路に対し、水溜りができないよう、たとえばケーシング６の側面部２３（スクロール板１７上）に対しスクロール板１７面全長に渡っては設けないなど、排水経路を遮断しないように配することが好ましい。
【００６４】
また、乱流発生機構１４は、排水経路に向けて排水が流れる傾斜を設けて配置するのが好ましい。
【００６５】
上記構成において、油および埃等を捕集して汚れた羽根車５および油捕集機構部１３の洗浄は次のように行う。
【００６６】
まず、駆動手段９により羽根車５を回転させ、同時に洗浄水用ポンプ２９により貯水装置２８の洗浄水を汲み上げ洗浄水用ノズル３０に供給する。
【００６７】
そして、洗浄水用ノズル３０の噴射口（図示せず）より噴射された洗浄水は、羽根車５に付着した油や埃等による汚れに浸透し汚れを剥がし羽根車５から落とすとともに、羽根車５に蓄積した油や埃に洗浄水が衝突することで剥離させ羽根車５から除去し、更に、回転による遠心力により羽根車５から油や埃等を飛散させて洗浄することとなる。
【００６８】
さらに、洗浄水用ノズル３０の噴射口（図示せず）より噴射された洗浄水をケーシング６の内部に貯水する。
【００６９】
洗浄水をケーシング６の内部に貯水した状態で駆動手段９により羽根車５を回転させることで、羽根車５を洗浄水と摩擦および衝突させ油や埃等の汚れを除去することができる。
【００７０】
さらに、図４および図５に示すように、前記ケーシング６の内部では、洗浄水が回転方向に移動する水流が生じ、この水流に対して乱流発生機構１４がほぼ垂直方向に流れをさえぎるように置かれていることによって、羽根車５のブレード１０に対して当たるような乱流３１が生じる。この乱流３１が羽根車５にあたる水圧を強め、洗浄水は油やほこり等の汚れを乱流発生機構１４がない場合に比べてより強力な洗浄力を与えることができる。
【００７１】
なお、前記の油捕集機構部１３が羽根車５に設けられた場合も、同様に、洗浄水と摩擦および衝突させ、油や埃等の汚れを除去することができる。
【００７２】
また、各洗浄段階で剥離した汚れは、乱流発生機構１４に衝突し、例えば乱流発生機構１４に沿ってスクロール板１７上を流れている間に沈殿する。また、汚れ同士は凝集しその結果沈殿をする。さらに、乱流発生機構１４で衝突後滞留するなどの過程を生じさせ、洗浄水の水面に浮上して再び羽根車に汚れが付着戻りする再付着を防止する効果も有するため、洗浄効果を一段と高めることができる。
【００７３】
乱流発生機構１４の頂点部分と羽根車５の距離が近いほど本発明の効果を高く得ることができるが、両者が接触しない範囲でその距離を設け、例えば５ｍｍ以内であり複数の乱流発生機構１４であれば、充分に効果を得られ望ましい。
【００７４】
（実施の形態２）
実施の形態２では、油が羽根車５への再付することを着防止する効果を高めた形態について説明する。
【００７５】
すなわち、乱流発生機構１４の形状と配置および小孔２６の位置について詳細な説明をする。図６は図４のケーシング背面板１９に垂直でかつスクロール板１７と攪拌用凸部４３を通るＡ-Ａ‘断面から羽根車側を見た図である。
【００７６】
まず、乱流発生機構１４は三角柱状の攪拌用凸部４３であって、三角柱の高さの方向に相当する長辺方向３２の一端を羽根車５の主板１２とケーシング背面板１９の間に配置することで、洗浄時に剥離した汚れは、乱流発生機構１４に衝突後、汚れの経路３３で示すように乱流発生機構１４に沿って流れることとなるので、長辺方向３２の一端が位置する主板１２とケーシング背面板１９との間で浮上する傾向が強くなる。つまり、剥離した汚れは、主板１２とケーシング背面板１９の間で浮遊するので、再びブレード１０や油捕集機構部１３へ再付着することが抑制され、より洗浄効果が高められる。
【００７７】
さらに、図７のように小孔２６は、スクロール板１７上でケーシング前面板１８よりもケーシング背面板１９側に近づけて配置し、乱流発生機構１４は、スクロール板１７上でかつ小孔２６と舌部２０の間に設けた第一の乱流発生機構３４と、スクロール板１７上でかつ小孔２６と吐出口４の間に設けた第二の乱流発生機構３５とを有し、第一の乱流発生機構３４の長辺方向３２を小孔２６に向けて配置している。
【００７８】
このようにすることで、洗浄時に乱流発生機構１４に衝突した汚れは、羽根車５が回転することで生じる水の流れに沿って流れ、乱流発生機構１４を流れている間に凝集、または沈殿をすることとなり、主板１２とケーシング背面板１９の間の位置まで、よりスムーズに誘導される。その後、汚れが洗浄水の水面に浮上してもブレード１０に再び付着をする再付着は防止することができる。
【００７９】
また、排水時には小孔２６がケーシング背面板１９の近傍にあるため、凝集や沈殿した汚れは速やかに排出され、浮上した汚れもブレード１０や油捕集機構部１３に接触しにくくして排出することができるので再付着防止効果を高めることができる。
【００８０】
また、図８のように小孔２６はスクロール板１７上でケーシング背面板１９側に近付けて配置し、第二の乱流発生機構３５の三角柱の底面に含まれる一辺の延長方向である短辺方向３６を小孔２６に向けて配置することで、洗浄時に乱流発生機構１４に衝突した汚れは、羽根車５が回転することで生じる水の流れに沿って流れ、乱流発生機構１４を流れている間に凝集、または沈殿をすることとなり、主板１２とケーシング背面板１９までよりスムーズに誘導される。その後、汚れが洗浄水の水面に浮上してもブレード１０に再び付着をする再付着を防止することができる。
【００８１】
また、排水時には小孔２６がケーシング背面板１９の近傍にあるため、凝集や沈殿した汚れは速やかに排出され、浮上した汚れもブレード１０や油捕集機構部１３に接触しにくくして排出することができるので再付着防止効果を高めることができる。
【００８２】
また、図９のように乱流発生機構１４の水流が当たる面３７（スクロール板１７上で気流の上流側の面）が湾曲した（円弧状で凹んだ）形状にすることで、洗浄時に乱流発生機構１４に衝突した汚れは乱流発生機構１４に沿って流れる際に乱流発生機構１４に引っかかりやすくなり、凝集や沈殿を誘発させやすくする。
【００８３】
また、図１０のように乱流発生機構１４の水流が当たる面３７が板状であり板状の長辺３８の一辺はスクロール板１７上に蝶番などの駆動可能部３９で取り付けられ、板状の長辺３８の他辺には水からの浮力が得られる浮き４０が備わっている構成にすることで、洗浄時に水を貯める際に浮力により乱流発生機構１４が持ち上がり凸形状を形成する。したがって、洗浄時のみ乱流発生機構１４を設けることができ洗浄力を高めることができ、ケーシング内に水が無い送風時には送風性能には影響を与えにくくすることができる。なお、板状の乱流発生機構１４は、円弧状に湾曲して凹んだ形状であってもよい。
（実施の形態３）
本発明の実施の形態３について、図１１を用いて説明する。
【００８４】
図１１において図４と同じ構成要素については同じ符号を用いその説明を省略する。
【００８５】
図１１に示すように、本実施の形態３ではケーシング６内の、貯水部分に攪拌翼等の攪拌手段４１を配設し、実施の形態１で示したように、洗浄水をケーシング６の内部に貯水し、その状態で駆動手段９により羽根車５を回転させることで羽根車５に付着した油や埃等の汚れを洗浄する際には、攪拌手段４１を回転または回動させ、貯水部にたまった洗浄水を攪拌する。攪拌された洗浄水は乱流となり、羽根車５に衝突し、せん断力によって汚れが落とされる。これにより、攪拌手段を設けない場合に比べ、より汚れを落とすことができる。
【００８６】
また、攪拌手段４１の表面は、汚れが再付着しないよう、フッ素樹脂製の表面塗装がされたものが望ましい。
【００８７】
また、汚れを落とす洗浄の運転を行わない、通常の送風運転の場合、ケーシング６内の攪拌手段４１は送風の流れをさえぎらないように棒状の攪拌手段４１がケーシングの円周方向に対して平行になり、送風に対して平行になるように固定されているように、回転等の攪拌手段４１を固定する。そのため、攪拌手段４１の形状は洗浄水を攪拌できる形状であれば回転翼の形状または羽根形状などであってもよいが、棒状であることが通常の送風運転時に空気の流れを遮断しにくいため望ましく、さらに好ましくは円柱筒状もしくは三角柱筒形状がよい。なお、前記回転翼は汚れが再付着しないよう、フッ素樹脂製の表面塗装がされたものが望ましい。
【００８８】
なお、実施の形態１と同様に、油捕集機構部１３が羽根車５に設けられた場合も、同様に、洗浄水を摩擦および衝突により、油や埃等の汚れを除去することができる。
（実施の形態４）
本発明の実施の形態４について、図１２を用いて説明する。
【００８９】
図１２において図４と同じ構成要素については同じ符号を用いその説明を省略する。
【００９０】
実施の形態３の攪拌手段において、図１２に示すように、攪拌手段４１と攪拌手段を回転させるための回転駆動部４２が一体として繋がった状態としないものとする。たとえば磁石を内部に有する磁石入り攪拌手段４１とモーター等の回転駆動部４２がケーシング６の内部および外部で隔離された構造であっても良い。この場合、回転駆動部４２がケーシング６内に無いため、ぬれたり汚れたりする心配が無く、品質の劣化の懸念が小さくなる。
【産業上の利用可能性】
【００９１】
本発明にかかるレンジフードは、羽根車に付着した油や埃等に洗浄水を流して塗装面から長期間剥がすことができることを可能とするものであるので、汚れを羽根車や油捕集機構部で捕集し羽根車や油捕集機構部のメンテナンスや保守が困難な場所に設置する換気装置にも適用することができる。
【符号の説明】
【００９２】
１    吸込口
２    フード
３    ダクト
４    吐出口
５    羽根車
６    ケーシング
７    通風路
８    整流板
９    駆動手段
１０    ブレード
１１    側板
１２    主板
１３    油捕集機構部
１４    乱流発生機構
１５    送風機流入口
１６    送風機吹出口
１７    スクロール板
１８    ケーシング前面板
１９    ケーシング背面板
２０    舌部
２１    延設板
２２    延長板
２３    側面部
２４    オリフィス
２５    シャフト
２６    小孔
２７    回収手段
２８    貯水装置
２９    洗浄水用ポンプ
３０    洗浄水用ノズル
３１    乱流
３２    長辺方向
３３    汚れの経路
３４    第一の乱流発生機構
３５    第二の乱流発生機構
３６    短辺方向
３７    水流が当たる面
３８    板状の長辺
３９    駆動可能部
４０    浮き
４１    攪拌手段
４２    回転駆動部
４３    攪拌用凸部
１０１    汚れた空気
１０２    吸込口
１０３    排気羽根車
１０４    フィルター
１０５    駆動装置
１０６    センサー
【図１】
2017044466.tif 000003
【図３】
2017044466.tif 000004
【図６】
2017044466.tif 000005
【図７】
2017044466.tif 000006
【図８】
2017044466.tif 000007
【図９】
2017044466.tif 000008
【図１０】
2017044466.tif 000009
【図１３】
2017044466.tif 000010
【図２】
2017044466.tif 000011
【図４】
2017044466.tif 000012
【図５】
2017044466.tif 000013
【図１１】
2017044466.tif 000014
【図１２】
2017044466.tif 000015